(57)【要約】【課題】バンドを容器本体と蓋体とに掛け回して両者を固定する際に、破損し難い蓋体及び該蓋体を備える容器を提供することを課題とする。【解決手段】容器１は、開口部２Ａを有する発泡性合成樹脂製の容器本体２と、容器本体２の開口部２Ａを開閉するための発泡性合成樹脂製の蓋体３とを備えており、前記蓋体３は、平面状の上面と上面外周縁から下方に垂下する外周側面とを有する板状の天壁３Ａと、該天壁３Ａの上面外周部に、外周部の周方向に離間して複数配置され且つ上面から上方に突出する凸条３Ｂとを備え、隣り合う凸条３Ｂ間の離間した領域は、容器本体２と天壁３Ａとを固定するバンドを掛け回すバンド掛部４であって、該バンド掛部４における天壁上面と天壁外周側面とは、天壁上面から天壁外周側面に向かって下方に傾斜する傾斜面によって連結されていることを特徴とする。【選択図】図１
2013203434.tif 000002
【特許請求の範囲】
【請求項１】
容器本体の開口部を開閉するための発泡性合成樹脂製の蓋体であって、
平面状の上面と上面外周縁から下方に垂下する外周側面とを有する板状の天壁と、該天壁の上面外周部に、外周部の周方向に離間して複数配置され且つ上面から上方に突出する凸条とを備え、
隣り合う凸条間の離間した領域は、容器本体と天壁とを固定するバンドを掛け回すバンド掛部であって、該バンド掛部における天壁上面と天壁外周側面とは、天壁上面から天壁外周側面に向かって下方に傾斜する傾斜面によって連結されていることを特徴とする蓋体。
【請求項２】
前記天壁は、平面視略矩形をなしており、前記凸条は、天壁の各長辺における中央部と該中央部から離間した両端部とに各々配置されており、中央部の凸条と両端部の凸条との離間した領域が前記バンド掛部であることを特徴とする請求項１に記載の蓋体。
【請求項３】
請求項１又は２に記載の蓋体と、該蓋体によって開閉される開口部を有する発泡性合成樹脂製の容器本体とを備える容器。
【発明の詳細な説明】
【技術分野】
【０００１】
本発明は、容器本体の開口部を開閉するための発泡性合成樹脂製の蓋体、及び該蓋体を備える容器に関する。
【背景技術】
【０００２】
従来、この種の容器の蓋体としては、矩形板状の天壁と、天壁の上面外周部に、外周部の周方向に離間して複数配置され且つ上面から上方に突出する凸条とを備える蓋体が知られている（例えば特許文献１の図４参照）。この蓋体では、天壁の上面外周部で凸条の離間した領域は、容器本体と天壁とを固定するバンドを掛け回すバンド掛部になっている。
【０００３】
上記蓋体では、前記複数の凸条が前記上面外周部の周方向に沿うように枠状に配置されているので、板状の天壁の外周部の肉厚を厚くすることができて強度向上を図ることができる。更に、上記蓋体では、帯状のバンドを容器本体と蓋体（天壁）とに掛け回して両者を固定する際に、凸条同士の間のバンド掛部にバンドを掛け回すことができるので、バンドの容器本体又は天壁に対する水平方向の移動を、凸条で規制することができ、バンドが外れることを効果的に防止して、両者を確実に固定することができる。
【先行技術文献】
【特許文献】
【０００４】
【特許文献１】特開平８−５１８８８号公報
【発明の概要】
【発明が解決しようとする課題】
【０００５】
ところが、上記従来の蓋体にあっては、バンド掛部における天壁上面と天壁外周側面とが略直角な角をなして交わっている。よって、上記のようにバンドを容器本体と蓋体とに掛け回して両者を固定する際に、バンド掛部の上記角にバンドの締付力が集中して、バンド掛部の上記角が破損し易い（欠け易い）という問題があり、改善の余地があった。
【０００６】
そこで、本発明は、上記問題に鑑みてなされたもので、バンドを容器本体と蓋体とに掛け回して両者を固定する際に、破損し難い蓋体及び該蓋体を備える容器を提供することを課題とする。
【課題を解決するための手段】
【０００７】
本発明に係る蓋体は、上記課題を解決するためになされたもので、容器本体の開口部を開閉するための発泡性合成樹脂製の蓋体であって、平面状の上面と上面外周縁から下方に垂下する外周側面とを有する板状の天壁と、該天壁の上面外周部に、外周部の周方向に離間して複数配置され且つ上面から上方に突出する凸条とを備え、隣り合う凸条間の離間した領域は、容器本体と天壁とを固定するバンドを掛け回すバンド掛部であって、該バンド掛部における天壁上面と天壁外周側面とは、天壁上面から天壁外周側面に向かって下方に傾斜する傾斜面によって連結されていることを特徴としている。
【０００８】
かかる構成からなる蓋体によれば、蓋体のバンド掛部における天壁上面と天壁外周側面との間が傾斜面で連結されているので、容器本体と蓋体とにバンドを掛け回す際に、天壁上面と傾斜面と天壁外周側面とで形成される角の形状にバンドがなじみ易い。よって、天壁上面と傾斜面と天壁外周側面とにバンドの締付力が分散して作用し、バンドによるバンド掛部の破損を抑制できるので、蓋体を破損し難くすることができる。
【０００９】
また、本発明の蓋体では、前記天壁は、平面視略矩形をなしており、前記凸条は、天壁の各長辺における中央部と該中央部から離間した両端部とに各々配置されており、中央部の凸条と両端部の凸条との離間した領域が前記バンド掛部であるように構成することも可能である。
【００１０】
かかる構成からなる蓋体によれば、バンド掛部は、天壁の各長辺における中央部と両端部との間に各々配置されているので、天壁の長辺方向の一端側のバンド掛部と他端側のバンド掛部それぞれにバンドを短辺方向に沿って掛け回すことができ、複数のバンドを用いて、蓋体を容器本体に対して確実に固定することができる。
【００１１】
また、本発明の容器は、上記蓋体と、該蓋体によって開閉される開口部を有する発泡性合成樹脂製の容器本体とを備えることを特徴としている。
【発明の効果】
【００１２】
本発明の蓋体及び容器によれば、蓋体のバンド掛部における天壁上面と天壁外周側面との間が傾斜面で連結されているので、容器本体と蓋体とにバンドを掛け回す際に、天壁上面と傾斜面と天壁外周側面とにバンドの締付力が分散して作用し、バンドによるバンド掛部の破損を抑制できるので、蓋体を破損し難くすることができるという効果を奏する。
【図面の簡単な説明】
【００１３】
【図１】本実施形態に係る容器の正面図を示す。
【図２】同容器の容器本体の平面図を示す。
【図３】同容器本体の底面図を示す。
【図４】同容器本体の図２，３のＡ矢視図（左側面図）を示す。
【図５】同容器の蓋体の平面図を示す。
【図６】同蓋体の底面図を示す。
【図７】（ａ）は同蓋体の図５，６のＢ矢視図（左側面図）、（ｂ）は同蓋体の図５，６のＣ矢視図（前側面図）を示す。
【図８】同蓋体の図５，６のＣ１−Ｃ１断面図を示す。
【図９】（ａ）は同容器にバンドを掛け回した状態の正面図、（ｂ）は同状態の右側面図を示す。
【図１０】同蓋体を２つ積み重ねた状態の断面図を示す。
【発明を実施するための形態】
【００１４】
以下、本発明に係る容器の一実施形態について、図１から図８を参照しつつ説明する。本実施形態の容器１は、魚（例えば、鯵や鯖等）を氷水とともに収納することができる箱型状に形成されている。
【００１５】
容器１は、図１に示すように、上端部に開口部２Ａを有する発泡性合成樹脂製の容器本体２と、容器本体２の開口部２Ａを閉じて密閉状態にするための発泡性合成樹脂製の蓋体３とを備える。尚、発泡性合成樹脂としては、特に限定されないが、例えば発泡ポリスチレン、発泡ポリエチレン、発泡ポリプロピレン等の各種発泡性合成樹脂が利用できる。また、容器１の短辺方向を左右方向とし、容器１の長辺方向を前後方向とする（以下、図中では、左方向を「左」で、右方向を「右」で、それぞれ示し、前方向を「前」で、後方向を「後」で、それぞれ示している）。
【００１６】
図２、図４に示すように、容器本体２は、平面視略長方形に形成された板状の底壁２１と、底壁２１の外周縁から上方に立ち上げられた本体側壁２Ｂとを備えている。
【００１７】
底壁２１は、平面視略長方形に形成された平板状に形成されている。底壁２１の上面２１Ｕは容器本体２の底面に相当し、被搬送物を支持する面である。底壁２１の上面２１Ｕは平坦面である。底壁２１の上面２１Ｕの縁部には、上面２１Ｕから各側壁（内側面）に向かって上方に傾斜する傾斜部２１Ａが設けられている（図４参照）。この傾斜部２１Ａの四隅には、水抜き用孔ａが設けられている（図２参照）。この水抜き用孔ａは、後述の貫通孔ｂに連通している。
【００１８】
また、図３に示すように、底壁２１の下面２１Ｌは、上面２１Ｕと平行な平坦面である。したがって、底壁２１の下面２１Ｌにおいて、その外周部２１ａは平坦な面である。前後方向の下面２１Ｌ外周縁の中央部側には、指を掛けて容器１を把持するための把持用凹部２１ｂが上方に向けて、底壁２１の厚み方向（上下方向）途中部（例えば底壁２１の略半分の厚み）まで形成されている。また、外周部２１ａの四隅には、本体側壁２Ｂの上面から貫通する貫通孔ｂが設けられている。外周部２１ａの外周縁から所定距離だけ内側の部分には、外周部２１ａの周方向に沿って、底面２１Ｌから下方に突出した突出部２１Ｔが形成されている。この突出部２１Ｔは、底壁２１の各長辺の縁部に沿って形成される一対の左右突出部２４，２４と、底壁２１の各短辺の縁部に沿って形成される一対の前後突出部２５，２５とを備える。また、一対の左右突出部２４，２４の各々の両端側であって、左右突出部２４，２４と前後突出部２５，２５との間の部分には、金型からの離型の際に用いられる押し出しピン跡２６（円形状の窪み部）が形成されている。かかる突出部２１Ｔの下面は平坦な面であり、下面が床面等に接するようになっている。
【００１９】
本体側壁２Ｂは、底壁２１の上面２１Ｕの外周縁部（傾斜部２１Ａ上端）から上方に立ち上げられており、矩形枠状に形成されている。具体的には、本体側壁２Ｂは、底壁２１の各長辺の縁部から上方に立ち上げられた左右側壁２２，２２と、底壁２１の各短辺の縁部から上方に立ち上げられた前後側壁２３，２３とを備える。
【００２０】
左右側壁２２，２２の外面は、下方側ほど（底壁２１の上面２１Ｕ側に近付くほど）内側となる傾斜面に形成されている。また、左右側壁２２，２２の厚み方向内面（以下単に、内面と称する）は、下方側ほど内側となる傾斜面に形成されている。このような傾斜面は、製造金型の抜き勾配によって得られ、製造金型に対する容器本体２の離型性を確保するために、製造金型によって傾斜して形成される。尚、前記傾斜面の傾斜角度は１°に設定されているため、図面上では把握でき難い。また、左右側壁２２，２２と前後側壁２３，２３とが交わる角部には、上面から底壁下面２１Ｌまで上下方向に貫通する貫通孔ｂが設けられている（図２、図３参照）。
【００２１】
このような容器本体２では、前後左右の本体側壁２Ｂの上端に囲まれた内側領域が開口部２Ａとして構成されている。この開口部２Ａは、開口部２Ａに対して着脱自在に構成される蓋体３によって自在に開放或いは閉塞されるようになっている。
【００２２】
蓋体３は、図１、図５から図７に示すように、平面視略長方形（多角形状の一例）に形成された板状の天壁３Ａと、天壁３Ａの下面外周部に沿って枠状に形成される嵌合用凸条３ａとを備えている。この蓋体３の四隅には、貫通孔ｃが上下方向に貫通している。
【００２３】
天壁３Ａは、平面状の上面（表面）３Ｕと、上面外周縁から下方に垂下する外周側面３Ｓと、平面状の下面（底面又は裏面）３Ｌとを有する。図５に示すように、天壁３Ａの上面３Ｕは、平坦な面をなしており、上面３Ｕの外周部（具体的には、外周縁）には、天壁３Ａの周方向に離間して複数配置され且つ上面３Ｕから上方に突出する蓋体補強用の補強用凸条部３Ｂが、天壁３Ａと一体的に形成されている。
【００２４】
補強用凸条部３Ｂは、天壁３Ａの上面外周部の周方向に離間して複数個、枠状に配置されている。具体的には、補強用凸条部３Ｂは、天壁３Ａの上面３Ｕ外周部の前後方向に対向する各短辺の中央側と、天壁３Ａの上面３Ｕ外周部の左右方向に対向する各長辺の両端側とにおいて、所定距離を置くようにして、複数配置されている（図５参照）。より詳細には、補強用凸条部３Ｂは、各短辺において、その外縁の左右方向中央部に間隔ができるように離間して複数（本実施形態では、２つ）配置される。また、補強用凸条部３Ｂは、各長辺において、その外縁の前後方向中央部と両端部との間の部分に間隔ができるように離間して複数（本実施形態では、３つ）配置される。即ち、補強用凸条部３Ｂは、天壁３Ａの上面３Ｕ外周部の前後方向に対向する各短辺の両端部に互いに離間した凸条部を各々有する。また、補強用凸条部３Ｂは、天壁３Ａの上面３Ｕ外周部の左右方向に対向する各長辺の中央部に凸条部を有すると共に、中央部から離間した両端部（具体的には、両端縁）に凸条部を各々有する。この補強用凸条部３Ｂでは、短辺と長辺との端部に形成される凸条部は、天壁３Ａの周方向に沿って連設されている。そして上面３Ｕ外周部において補強用凸条部３Ｂどうしに挟まれた領域（即ち、隣り合う凸条部間の離間した領域）は、容器本体２と蓋体３を一体化するためのバンドＴ（図９のＴ参照）を容器１の長辺方向、短辺方向に掛けるためのバンド掛部４とされている。
【００２５】
バンド掛部４は、図５、図７に示すように、容器本体２と天壁３Ａとを固定するバンドＴを掛け回すべく、凹状をなしており、凹下面４１と凹側面４２とから構成される。バンド掛部４の凹下面４１は、図８の拡大図に示すように、少なくとも一部が蓋体３外方に向かって下方傾斜するように設けられている。バンド掛部４の凹下面４１は、平坦な第１下面４１ａと、第１下面４１ａに連設され、下方傾斜をなす第２下面４１ｂとを有する。この第２下面４１ｂからは、第１側面４１ｃが垂下している。
【００２６】
第１下面４１ａは、略矩形平面をなしている。この第１下面４１ａは、天壁３Ａの平坦な上面３Ｕと面一であり、天壁３Ａの上面３Ｕの一部である。第１側面４１ｃは、略矩形平面をなしている。この第１側面４１ｃは、天壁外周側面３Ｓと面一であり、天壁外周側面３Ｓの一部である。第２下面４１ｂは、矩形状の平坦な傾斜面である。この第２下面４１ｂは、第１下面４１ａ（天壁上面３Ｕ）から第１側面４１ｃ（天壁外周側面３Ｓ）に向かって下方に傾斜し、両者を連結する傾斜面である。換言すれば、第２下面４１ｂは、傾斜面に対応する部分の角を切欠いた角取り部（傾斜部）とされている。
【００２７】
本実施形態のバンド掛部４では、第１下面４１ａは、補強用凸条部３Ｂの内周縁から補強用凸条部３Ｂの幅方向の途中部（具体的には、幅方向の略中央）まで形成されている。第２下面４１ｂの上端４１ｄは、補強用凸条部３Ｂの幅方向の途中部（具体的には、幅方向の略中央）に位置する（図５参照）。第２下面４１ｂの下端４１ｅは、天壁外周側面３Ｓの幅方向の途中部（具体的には、幅方向の略中央）に位置する（図７参照）。尚、第２下面４１ｂは、上記のように平坦な傾斜面となる場合に限らず、上方に凸をなす曲面とすることも可能である。また、第２下面４１ｂの上端４１ｄの位置は、補強用凸条部３Ｂの幅方向の任意の位置に設定することが可能であり、例えば補強用凸条部３Ｂの内周縁側の位置に設定することも可能である。第２下面４１ｂの下端４１ｅの位置は、天壁外周側面３Ｓの幅方向の任意の位置に設定することが可能であり、例えば天壁外周側面３Ｓの下端縁側の位置に設定することが可能である。
【００２８】
バンド掛部４の凹側面４２は、図５、図７に示すように、補強用凸条部３Ｂの辺方向（前後方向又は左右方向）に沿って対向する一対の側面である。凹側面４２は、上方に向かうほど互いに離れる傾斜面で構成されている。具体的には、凹側面４２は、凹下面４１を挟んで対向する補強用凸条部３Ｂの辺方向両側面を、上方に向かうほど互いに離れる傾斜面として形成されている。即ち、補強用凸条部３Ｂの辺方向側面は、補強用凸条部３Ｂの上面から凹下面４１に向けて、辺方向（周方向）に沿って下方傾斜する傾斜面をなしている。
【００２９】
かかるバンド掛部４は、天壁３Ａの長辺に２つ、短辺に１つ形成されている。各辺に形成されるバンド掛部４の辺方向（周方向）の長さは、略同一で構成される。このバンド掛部４では、対向する辺に形成されたバンド掛部４同士が相対向するように構成されている。具体的には、バンド掛部４は、天壁３Ａの各短辺の中央部のバンド掛部４同士が相対向し、天壁３Ａの各長辺の両端側のバンド掛部４同士が相対向するように天壁３Ａに形成されている。
【００３０】
天壁３Ａの下面３Ｌには、図６に示すように、天壁３Ａ外周縁から所定距離だけ内側の外周部に、天壁３Ａの外周全周に亘って形成される嵌合用凸条３ａと、嵌合用凸条３ａに囲まれた内側領域（中央部）に略十字形状に形成される内側凸条３ｂとが設けられている。
【００３１】
嵌合用凸条３ａは、天壁３Ａの下面３Ｌから下向きに突出した枠状（具体的には矩形枠状）に形成されている。具体的には、嵌合用凸条３ａは、容器本体２の開口部２Ａに嵌合可能となるように、天壁３Ａの下面外周部全域に亘って連続した枠状に形成される嵌合用の凸条である。この嵌合用凸条３ａは、所定高さの高段部３１と高段部３１より低い高さの低段部３２とが外周部の周方向に連設されてなる（図６，７参照）。嵌合用凸条３ａは、高段部３１と低段部３２とが外周部の周方向全周に亘って交互に並んで複数設けられることで、矩形枠状をなしている。
【００３２】
高段部３１は、直線状に設けられる凸条であり、その高さは略一定である。高段部３１の直線方向の両端部は、直線方向外向きに凸をなす曲面形状をなしている。低段部３２は、直線状に形成される直線状部と、該直線状部の直線方向の両端から延設される延設部とからなる凸条である。延設部は、直線状部の直線方向と所定角をなす方向に直線状に設けられており、その直線方向の一端部は直線状部の端部に連設され、他端部は高段部３１の端部に対応した形状をなしている。
【００３３】
このような低段部３２は、前記矩形枠状の四隅に各々配置され、高段部３１は、前記矩形枠状の直線部（四隅を除く各辺）に各々配置されている。即ち、嵌合用凸条３ａは、前後に対向する前後壁３１Ａ，３１Ａと、左右に対向する左右壁３１Ｂ，３１Ｂと、前後壁３１Ａ，３１Ａ及び左右壁３１Ｂ，３１Ｂを連結する連結壁３１Ｃとから構成されている。前後壁３１Ａ，３１Ａ及び左右壁３１Ｂ，３１Ｂは、所定高さの高段部３１である。連結壁３１Ｃは、前後壁３１Ａ，３１Ａ及び左右壁３１Ｂ，３１Ｂよりも高さの低い低段部３２である。尚、本実施形態では、高段部３１と低段部３２との高さの差（段差）は、補強用凸条部３Ｂの高さに概ね等しくなるように構成されている。
【００３４】
内側凸条３ｂは、嵌合用凸条３ａの前後壁３１Ａ，３１Ａの中央部同士及び左右壁３１Ｂ，３１Ｂの中央部同士を連結する略十字形状に形成されている。この内側凸条３ｂは、前記嵌合用凸条３ａよりも下向きの突出量が小さく（少なく）なっている（図８参照）。
【００３５】
以上の構成からなる容器１では、容器本体２の開口部２Ａに対して、蓋体３の嵌合用凸条３ａを嵌合することで、容器本体２の開口部２Ａが蓋体３で覆われて、蓋体３が容器本体２に密閉状態で装着される。蓋体３を容器本体２に嵌合するとき、蓋体３の高段部３１と低段部３２とが容器本体２の開口部２Ａ外周（本体側壁２Ｂの上端内周縁）に沿って嵌合される。このように容器本体２の開口部２Ａを蓋体３で閉塞した密閉状態の容器１には、図９に示すように、容器本体２と蓋体３とに掛け回して両者を固定するバンドＴが装着される。本実施形態のバンドＴは、２本で構成され、各バンドＴは、環状或いは帯状に構成されている。本実施形態では、バンドＴは、天壁３Ａの長辺の前側（一端側）と後側（他端側）とに各バンドＴを短辺方向に沿って掛け回される。具体的には、バンドＴは、容器本体２の底壁下面２１Ｌの左右突出部２４，２４と前後突出部２５，２５との離間した領域に、即ち押し出しピン跡２６の形成された部分に掛け回されると共に、蓋体３の各長辺で隣り合う補強用凸条部３Ｂ間の離間した領域に、即ちバンド掛部４に掛け回されて、容器本体２と蓋体３とに装着される。ここで、バンド掛部４にバンドＴを掛け回す際には、バンドＴは、凹下面４１に対して掛け回される。尚、バンドＴが凹下面４１から外れた場合であっても、バンド掛部４の凹側面４２の傾斜面に沿って凹下面４１に案内されることになる。そして、バンドＴは、凹下面４１の第２下面４１ｂの下方傾斜に沿って、バンドＴを掛け回す方向（バンドＴの長辺、又は帯方向）にスムーズに掛け回され、凹下面４１（第１下面４１ａ、第２下面４１ｂ）に当接して、蓋体３に装着される。
【００３６】
また、この容器１の蓋体３の保管、輸送などに際しては、収納効率の面から、蓋体３を複数段に積み重ねている。このように積み重ねられた複数の蓋体３は、各容器１を使用する際に、上段の蓋体３から順次取られる。
【００３７】
ここで、上記のような積み重ねにおいては、下段の蓋体３の天壁３Ａの上面３Ｕに対して、上段の蓋体３の嵌合用凸条３ａの下面を当接させている。具体的には、図１０に示すように、上段の蓋体３の嵌合用凸条３ａが下段の蓋体３の補強用凸条部３Ｂで画定される内側領域に嵌合される。より詳細には、上段の蓋体３の高段部３１の下端側の外周側面が下段の蓋体３の補強用凸条部３Ｂの内周側面に当接し、上段の蓋体３の高段部３１の下面が下段の蓋体３の補強用凸条部３Ｂの内周縁より内側の天壁上面３Ｕに当接している。この嵌合によって、上段の蓋体３は水平方向への移動が規制され、上段の蓋体３は下段の蓋体３に対して水平方向に安定して保持された状態で積み重ねられる。換言すれば、下段の蓋体３は、上段の蓋体３を支えると共に移動規制（又は位置決め）している。ここで、上段の蓋体３の低段部３２は、下段の蓋体３に対して離間している。即ち、上段の蓋体３の低段部３２と下段の蓋体３との間には、下段の蓋体の天壁上面３Ｕの内側領域を蓋体３外側に連通させる隙間Ｓが形成されている。この隙間Ｓは、上段の蓋体３の嵌合用凸条３ａの内側領域と外側領域とを連通させるものである。
【００３８】
以上、本実施形態に係る容器１及び蓋体３によれば、蓋体３のバンド掛部４における天壁上面３Ｕと天壁外周側面３Ｓとの間が傾斜面で連結されているので、容器本体２と蓋体３とにバンドＴを掛け回す際に、天壁上面３Ｕと傾斜面と天壁外周側面３Ｓとで形成される角の形状にバンドＴがなじみ易い。よって、天壁上面３Ｕと傾斜面と天壁外周側面３ＳとにバンドＴの締付力が分散して作用し、バンドＴによるバンド掛部４の破損を抑制できるので、蓋体３を破損し難くすることができる。
【００３９】
かかる構成からなる容器１及び蓋体３によれば、蓋体３のバンド掛部４は、天壁３Ａの各長辺における中央部と両端部との間に各々配置されているので、天壁３Ａの長辺の前側（一端側）のバンド掛部４と後側（他端側）のバンド掛部４にそれぞれバンドＴを短辺方向に沿って掛け回すことができ、複数（本実施形態では、２本）のバンドＴを用いて、蓋体３を容器本体２に対して確実に固定することができる。
【００４０】
また、かかる容器１及び蓋体３によれば、バンドＴは、容器本体２の底壁下面２１Ｌの左右突出部２４，２４と前後突出部２５，２５との離間した領域に、左右突出部２４，２４と前後突出部２５，２５とに挟まれるように掛け回されると共に、蓋体３の嵌合用凸条３ａ同士の間のバンド掛部４に掛け回される。従って、蓋体３のバンド掛部４と容器本体２の左右突出部２４，２４及び前後突出部２５，２５とによって、バンドＴの容器本体２又は蓋体３に対する水平方向（具体的には、長辺方向）の移動を規制することができ、バンドＴが外れることを効果的に防止して、蓋体３を容器本体２に対して確実に固定することができる。
【００４１】
また、かかる容器１及び蓋体３によれば、蓋体３のバンド掛部４の凹側面４２は、上方に向かうほど互いに離れる傾斜面で構成されているので、バンドＴをバンド掛部４に掛け回す際に、前記傾斜面がバンドＴを凹下面４１側へ確実に案内することができ、バンドＴの装着作業を迅速に行うことができる。
【００４２】
また、かかる容器１及び蓋体３によれば、蓋体３のバンド掛部４における天壁上面３Ｕと天壁外周側面３Ｓとは、天壁上面３Ｕから天壁外周側面３Ｓに向かって下方に傾斜する傾斜面によって連結されているので、容器本体２と蓋体３とにバンドＴを掛け回す際に、バンドＴの掛け回し方向（バンドＴの長手、又は帯方向）に、バンドＴを傾斜面に沿わせて天壁上面３Ｕから天壁外周側面３Ｓに、又は天壁外周側面３Ｓから天壁上面３Ｕに円滑に移動させることができるので、バンドＴを蓋体３に掛け回し易くすることができる。
【００４３】
また、かかる蓋体３及び容器１によれば、蓋体３の嵌合用凸条３ａは、所定高さの高段部３１と該高段部３１より低い高さの低段部３２とを備えているので、蓋体３を容器本体２に嵌合すると、高段部３１と低段部３２とが容器本体２の開口部２Ａ外周に沿って嵌合する。特に、高段部３１は高さが高いので、その分だけ摩擦力を向上させることができ、容器本体２から蓋体３を外れ難くすることができる。
【００４４】
また、かかる蓋体３及び容器１によれば、蓋体３の嵌合用凸条３ａは、低段部３２が高段部３１より低い高さで設けられているので、蓋体３を複数段に積み重ねた際に、上段の蓋体３の高段部３１の下面が下段の蓋体３の上面３Ｕに当接し、上段の蓋体３の低段部３２の下面が下段の蓋体３の上面３Ｕから離間して隙間Ｓが形成され、この隙間Ｓから上段の蓋体３の嵌合用凸条３ａの内側領域が外側と連通する。よって、かかる蓋体３及び容器１では、上段の蓋体３の嵌合用凸条３ａの内側領域と外側領域とに気圧差が生じて、上段の蓋体３が下段の蓋体３に不用意に引っ付くことを防止でき、また、隙間Ｓに指を掛けるなど隙間Ｓを用いることができるので、蓋体３を複数段に積み重ねた際に、蓋体３同士（下段の蓋体３に対して上段の蓋体３）を離し易くすることができる。
【００４５】
また、かかる蓋体３及び容器１によれば、嵌合用凸条３ａは、矩形枠状をなしており、低段部３２は、前記矩形枠状の四隅に各々配置されているので、蓋体３を複数段に積み重ねた際に、上段の蓋体３の嵌合用凸条３ａの四隅において嵌合用凸条３ａの内側領域と外側領域とを効率良く連通させることができ、蓋体３を複数段に積み重ねた際に、蓋体３同士を離し易くすることができる。
【００４６】
また、かかる蓋体３及び容器１によれば、蓋体３の嵌合用凸条３ａの高段部３１は、前記矩形枠状の直線部に各々配置されるので、高段部３１でガイドされて、確実に嵌合できる。
【００４７】
尚、本発明は、前記実施形態に限定されるものではなく、本発明の要旨を逸脱しない範囲で種々の変更が可能である。
【００４８】
前記実施形態では、全てのバンド掛部４の辺方向の長さが略同一で構成する場合について説明したが、これに限らず、各々のバンド掛部４の辺方向の長さは、異なる長さに形成することができる。
【００４９】
また、対向する辺に形成されたバンド掛部４同士は、相対向するように構成される場合について説明したが、これに限らず、対向する辺に形成されたバンド掛部４同士は、相対向しないように辺上で位置を互いにずらせて構成することができる。
【００５０】
また、蓋体３の長辺に形成されるバンド掛部４のみにバンドＴを装着する場合について説明したが、これに限らず、蓋体３の短辺に形成されるバンド掛部４のみにバンドＴを装着することができる。或いは、蓋体３の長辺と短辺とのバンド掛部４にバンドＴを装着してもよい。
【００５１】
また、前記実施形態では、容器本体２や蓋体３は平面視略長方形で構成する場合について説明したが、これに限らず、容器本体２や蓋体３は平面視略正方形状に構成することができる。
【００５２】
また、前記実施形態では、天壁３Ａの長辺に２つのバンド掛部４を形成する場合について説明したが、これに限らず、蓋体３の大きさによっては、３つ以上のバンド掛部４を天壁３Ａの長辺に形成することができる。また、天壁３Ａの短辺に１つのバンド掛部４を形成する場合について説明したが、これに限らず、蓋体３の大きさによっては、２つ以上のバンド掛部４を天壁３Ａの短辺に形成することができ、或いは、バンド掛部４を天壁３Ａの短辺に形成しないことも可能である。
【００５３】
また、前記実施形態では、バンド掛部４の凹側面４２を、上方に向かうほど互いに離れる傾斜面に形成する場合について説明したが、これに限らず、バンド掛部４の凹側面４２を垂直面に形成してもよい。
【００５４】
また、前記実施形態では、嵌合用凸条３ａは、天壁３Ａの下面外周部全域に亘って連続する枠状に形成される場合について説明したが、これに限らず、嵌合用凸条３ａは、天壁３Ａの下面外周部の周方向に離間して複数個、枠状に配置することもできる。
【００５５】
特に、複数の嵌合用凸条３ａを矩形枠状に配置する場合には、矩形枠状の四隅で嵌合用凸条３ａ同士が離間するように配置することもできる。具体的には、矩形枠状の直線部の中央部に高段部３１を設け、該高段部３１の両隣に連設して低段部３２を設けることができる。若しくは、左右方向の直線部に高段部３１（又は低段部３２）を設け、前後方向の直線部に低段部３２（又は高段部３１）を設けることができる。
【００５６】
また、複数の嵌合用凸条３ａは、矩形枠状のうち、直線部の一部（例えば中央部、又は両端部、又は中央部と両端部との間の部分）で離間するように配置することもできる。例えば、嵌合用凸条３ａは、長辺の両端部と短辺とに凸条を有し、四隅で該凸状同士が連設されて構成されることや、短辺の両端部と長辺とに凸条を有し、四隅で該凸状同士が連設されて構成されることや、直線部（長辺と短辺と）の両端部に凸条を有し、四隅で該凸状同士が連設されて構成されることが可能である。若しくは、嵌合用凸条３ａは、直線部の中央部にのみ凸条を有する構成でもよい。また、嵌合用凸条３ａは、複数の凸条からなり、直線部（長辺及び短辺）の中央部と両端部とに凸条を有し、長辺の端部の凸条が短辺の端部の凸条に連設されて構成されることができる。尚、上記のように離間して複数配置される嵌合用凸条３ａの各凸条は、高段部３１と低段部３２とが周方向に連設されてなることや、高段部３１又は低段部３２からなることができる。嵌合用凸条３ａの各凸条が高段部３１又は低段部３２からなる場合、複数の凸条のうち、一の凸条を高段部３１で構成し、他の凸条を低段部３２で構成して、全体として高段部３１と低段部３２と備えるように構成される。
【００５７】
また、前記実施形態では、嵌合用凸条３ａは、高段部３１と低段部３２とを有する場合について説明したが、これに限らず、嵌合用凸条３ａは、３段以上の段部で構成することができる。例えば、嵌合用凸条３ａは、高段部３１と高段部３１より低い高さの中段部と、中段部より低い高さの低段部３２とを備えて構成することができる。具体的には、嵌合用凸条３ａは、矩形枠状をなし、矩形枠状の四隅には、前記３つの段部のうちいずれか１つの段部を有し、矩形枠状の直線部には、残りの２つの段部又は３つ全ての段部を有して構成することができる。例えば、矩形枠状の四隅に中段部を有し、矩形枠状の短辺に高段部３１を有し、矩形枠状の長辺に、その中央部に低段部３２を有し、低段部３２に連設して両端側に高段部３１を有して構成することができる。
【符号の説明】
【００５８】
１…容器、２…容器本体、２Ａ…開口部、２Ｂ…本体側壁、３…蓋体、３Ａ…天壁、３Ｂ…補強用凸条部、３ａ…嵌合用凸条、３ｂ…内側凸条、４…バンド掛部、２１…底壁、２１Ａ…傾斜部、２１Ｔ…突出部、２１ａ…外周縁、２１ｂ…把持用凹部、２２…左右側壁、２３…前後側壁、２４…左右突出部、２５…前後突出部、２６…押し出しピン跡、３１…高段部、３１Ａ…前後壁、３１Ｂ…左右壁、３１Ｃ…連結壁、３２…低段部、４１…凹下面、４１ａ…第１下面、４１ｂ…第２下面、４１ｃ…第１側面、４２…凹側面、ａ，ｂ，ｃ…孔、Ｔ…バンド、Ｓ…隙間
【図１】
2013203434.tif 000003
【図２】
2013203434.tif 000004
【図３】
2013203434.tif 000005
【図４】
2013203434.tif 000006
【図５】
2013203434.tif 000007
【図６】
2013203434.tif 000008
【図７】
2013203434.tif 000009
【図８】
2013203434.tif 000010
【図９】
2013203434.tif 000011
【図１０】
2013203434.tif 000012